(57)【特許請求の範囲】
【請求項１】
多数枚のシートが載置されるシート供給台から送り出されたシートを一枚ずつに分離して搬送するシート搬送装置において、
回動によりシートを搬送する搬送手段、
該搬送手段に対向して設けられ、捌きローラ及び該捌きローラを支持する可動枠体を有する捌き手段、
該捌き手段を前記搬送手段に押圧する付勢手段及び
前記可動枠体に接触する制動部材を有し、前記搬送手段の回転と、前記付勢手段の付勢力とにより生ずる前記捌き手段の振動を制動する制動手段
を備えたことを特徴とするシート搬送装置。
【請求項２】
前記捌き手段が、前記搬送手段の搬送方向に対して反対方向に移動する捌き面を持つトルクリミッター付回転体を有することを特徴とする請求項１に記載のシート搬送装置。
【請求項３】
前記捌き手段が、前記トルクリミッター付回転体を支持し、前記付勢手段により付勢された回転可能な可動支持手段を有することを特徴とする請求項２に記載のシート搬送装置。
【請求項４】
前記制動手段が、前記可動支持手段と、該可動支持手段を支持する静止部の間に設けられたことを特徴とする請求項３に記載のシート搬送装置。
【請求項５】
前記制動手段が発泡弾性体で構成されることを特徴とする請求項１〜４のいずれか１項に記載のシート搬送装置。
【発明の詳細な説明】
【０００１】
【発明の属する技術分野】
本発明は多数枚のシートから一枚ずつ分離して搬送する分離搬送装置に関し、特に、複写装置やスキャナやファクシミリにおいて使用される自動原稿搬送装置のシート搬送装置に関する。
【０００２】
【従来の技術】
多数枚載置されたシートの堆積から一枚ずつ分離して搬送する分離搬送方式としては種々のものがあるが、複写装置、プリンタ等の分野では、回転する搬送ローラに対して、静止するか又は該搬送ローラの搬送方向と反対の方向に移動する捌き手段による捌き作用でシートを一枚ずつ分離し、搬送する方式が一般的である。
【０００３】
【発明が解決しようとする課題】
複写装置やプリンタにおいて、多く使用されている前記のような分離搬送方式は広く使用されており、該分離搬送方式を使用した高性能のシート搬送装置が実現されている。
【０００４】
しかしながら、様々な紙質のシートが取り扱われる自動原稿搬送装置においては、次のような問題があることが判明した。
【０００５】
捌き手段は回転する搬送ローラに対して、静止あるいは逆方向に回転して、搬送ローラと、搬送されるシートと、捌き手段との間に生ずる摩擦作用によって、シートを一枚に分離する分離作用を生ずるものであるが、この摩擦作用によって振動が発生し、騒音が発生することがあるという実験結果が得られた。
【０００６】
このような騒音は、捌き手段として、搬送ローラと反対方向に回転するトルクリミッター付ローラを用い、Ａ３サイズのような比較的長い原稿を搬送する場合に、特に発生しやすかった。
【０００７】
従って、本発明の目的は、多数枚のシートから一枚を分離して搬送するシート搬送装置における前記のような問題を解決することにあり、前記のシート搬送装置における騒音の発生を防止することにある。
【０００８】
【課題を解決するための手段】
前記の本発明の目的は、
多数枚のシートが載置されるシート供給台から送り出されたシートを一枚ずつに分離して搬送するシート搬送装置において、
回動によりシートを搬送する搬送手段、
該搬送手段に対向して設けられ、捌きローラ及び該捌きローラを支持する可動枠体を有する捌き手段、
該捌き手段を前記搬送手段に押圧する付勢手段及び
前記可動枠体に接触する制動部材を有し、前記搬送手段の回転と、前記付勢手段の付勢力とにより生ずる前記捌き手段の振動を制動する制動手段
を備えたことを特徴とするシート搬送装置、
によって達成される。
【０００９】
【発明の実施の形態】
以下に、本発明の実施の形態にかかるシート搬送装置が組み込まれた自動原稿搬送装置を説明する。
【００１０】
図１は、複写装置本体１に自動原稿搬送装置２を装着した複写装置の部分断面図である。
【００１１】
自動原稿搬送装置２は複写装置本体１の上に設けられており、自動原稿搬送装置２の側方には、例えば原稿等の複数枚のシート原稿Ｐを載置する原稿供給台２１を設け、原稿供給台２１に載置したシート原稿Ｐの給紙方向前方位置に弾性部材Ｓ１で押し上げられるシート押上部材２２を配置する。
【００１２】
このシート押上部材２２と対峙した位置に給紙ローラ２４が設けられている。なお、前記シート押上部材２２は、シート原稿Ｐの非載置時には図示しない押下機構で弾性部材Ｓ１に抗して押し下げられており、原稿供給台２１にシート原稿Ｐの載置を可能にしている。
【００１３】
原稿供給台２１の複数枚のシート原稿Ｐのうち、給紙ローラ２４に接しているシート原稿Ｐが給紙されるが、給紙ローラ２４の下流側には確実に１枚のみのシート原稿Ｐを給送するためのシート捌き部２Ａが設けられている。このシート捌き部２Ａの構成では、自動原稿搬送装置２の一部に支持板２８を固定し、その支持板２８の一部に芯軸２９を設け、芯軸２９に可動枠体２７を可動自在に設けるとともに、この可動枠体２７に設けた軸２６４を介して捌きローラ２６が回動可能に設けられている。この捌きローラ２６と対向して搬送ローラ２５を自動原稿搬送装置２に設け、前記捌きローラ２６と、搬送ローラ２５とが一定の接触圧で接触するように可動枠体２７と支持板２８に設けた補助支持板２８１間に弾性部材Ｓ２が設けられている。
【００１４】
更に、支持板２８の一部にスポンジ等の発泡弾性体、又は、ゴム等の制動部材３０が可動枠体２７の端部が対峙する位置に設けられている。又、補助支持板２８１の一部には、シート押上部材２２の給紙前方位置に配置され、積層したシート原稿Ｐの下方部分の移動を阻止するためのシート阻止部材２８２が一体に設けられている。
【００１５】
以上のように説明したシート捌き部２Ａの下流側にレジストローラ３１、３２が一対で設けられている。
【００１６】
以上のように構成された自動原稿搬送装置２より複写装置本体１の上部に固定部材１０Ａ、１０Ｂで固定されて設けられた透明板よりなる露光部１０にシート原稿Ｐを供給する。この露光部１０の上部位置の自動原稿搬送装置２には、ベルト懸架部材３３、３４が回転可能に設けられ、このベルト懸架部材３３、３４に搬送ベルト３５が懸架されている。更に、露光部１０の面に対して搬送ベルト３５が均一な押圧力で接触するように押圧板３７が設けられている。又、搬送ベルト３５の張力を一定にするように、張ローラ３６が設けられている。
【００１７】
一方、露光部１０の下部には、シート原稿Ｐを露光するため、露光ランプ１１と反射ミラー１２が一体に設けられ、この露光ランプ１１と反射ミラー１２と、Ｖ型に形成した反射ミラー１３、及び、レンズ１４と反射ミラー１５で露光し、図示しないが、電荷を付与された感光体ドラムを露光する。
【００１８】
自動原稿搬送装置２の上部には露光を完了したシート原稿Ｐを排紙する排紙部４０が形成されており、前記露光部１０での露光を完了したシート原稿Ｐを排紙部４０に確実に案内するため、先端を露光部１０に接触させ他端を自動原稿搬送装置２に固定したシート案内部材３８と、シート反転案内部材３９により排紙部４０にシート原稿Ｐを排紙するように構成する。
【００１９】
次に、自動原稿搬送装置２に設けられたシート捌き部２Ａの構成を詳細に説明する。
【００２０】
図２はシート捌き部２Ａの平面図であり、図３はシート捌き部２Ａの斜視図である。
【００２１】
図２、及び図３に示すように自動原稿搬送装置２に設けた支持板２８に、軸受部材２９１、２９２を固定して設け、この軸受部材２９１、２９２に芯軸２９の両端を支持して設けると共に、この芯軸２９に可動枠体２７の両端に形成した支持部２７１、２７２を回動自在に支持する。更に、可動枠体２７の支持部２７１、２７２の他端には軸２６４の両端が固定して設けられている。この軸２６４には、図２、図３に示すように歯車Ｇ１と一体に設けられ、摩擦部材を内蔵したトルクリミッター２６３と、このトルクリミッター２６３を介して回転する補助案内ローラ２６１、２６２、及び、捌きローラ２６が一体で回転するように設けられている。そして、支持部２７１の内側で前記芯軸２９に歯車Ｇ３を固定し、中間歯車Ｇ２を介して前記歯車Ｇ１と結合する。
【００２２】
一方、可動枠体２７の略中心位置と、補助支持板２８１との一部に弾性部材Ｓ２が設けられており、捌きローラ２６と搬送ローラ２５とが適切な接触力で接触するように構成する。
【００２３】
このように捌きローラ２６を有する可動枠体２７の支持部２７１の外側には、支持板２８に固定した取付部材３０Ａを設け、取付部材３０Ａに支持部２７１の外面と接触するように、スポンジ等の発泡弾性体、又は、ゴム等の制動部材３０を固定して設ける。
【００２４】
対向する面が反対方向に移動するように駆動される搬送ローラ２５と、捌きローラ２６の捌き作用によって、シート原稿Ｐは一枚に分離され、搬送されるが、搬送ローラ２５と捌きローラ２６とシート原稿Ｐの間の摩擦によって、シート捌き部２Ａに振動が発生して、騒音を発することがある。制動部材３０で可動枠体２７の運動を制動することによって、このような騒音の発生は有効に防止される。なお、制動部材３０を支持部２７２側にも設けて制動効果を更に増すことも可能である。
【００２５】
制動部材３０として、前記のスポンジ等の発泡弾性体又はゴムに代えて、可動枠体２７を、例えば、軸受け部材２９１、２９２のような固定部材に押しつける板バネ又はコイルバネ等を用いることもできる。更に、可動枠体２７に取り付けられた捌きローラ２６は回転しない静止した部材で構成することもできる。芯軸２９は結合子２９３、２９４により駆動源（図示せず）で駆動される。
【００２６】
次に、自動原稿搬送装置２よりシート原稿Ｐを給紙する動作を説明する。
【００２７】
図１において、原稿供給台２１に複数枚のシート原稿Ｐを供給する。その際、シート押上部材２２は弾性部材Ｓ１に抗して押下機構で押し下げられており、円滑にシート原稿Ｐを供給することが可能となっている。原稿供給台２１にシート原稿Ｐの供給が完了すると、検知機構（図示せず）により検知され、シート押上部材２２が解除されて弾性部材Ｓ１により押し上げられ、最上部のシート原稿Ｐが給紙ローラ２４に接触して給紙が可能となる。
【００２８】
次に、複写装置本体１の始動ボタン（図示せず）を押すことにより、給紙ローラ２４が矢印方向に回転し、給紙ローラ２４と接触したシート原稿Ｐが給紙される。ここで下部にあるシート原稿Ｐも接触して同時に給紙されるが、シート阻止部材２８２で阻止され、上部数枚のシート原稿Ｐのみが給紙される。
【００２９】
次に、給紙された数枚のシート原稿Ｐは、シート捌き部２Ａに送られ、シート捌き部２Ａに設けた搬送ローラ２５と、捌きローラ２６との接触部に給紙される。搬送ローラ２５は給紙方向に回転してシート原稿Ｐを搬送するが、一方、捌きローラ２６は、図３に示すように矢印方向に回転される芯軸２９より伝達される歯車Ｇ３と中間歯車Ｇ２、更に、歯車Ｇ１とに回転伝達され、歯車Ｇ１と共に回転するトルクリミッター２６３で矢印方向に回転されている。即ち、捌きローラ２６と、搬送ローラ２５との相対向する面は反対方向に移動するように駆動され、捌きローラ２６に対して搬送ローラ２５から一定値以上の回転力が作用すると、捌きローラ２６の捌き面は搬送ローラ２５の対向する面と同方向に移動する。
【００３０】
従って、最上部のシート原稿Ｐが搬送ローラ２５で給紙されるが、下部のシート原稿Ｐは捌きローラ２６で阻止されて給紙されない。このようにしてダブル給紙が防止され、一枚のみのシート原稿Ｐが搬送ローラ２５でレジストローラ３１、３２に搬送される。尚、確実にシート原稿Ｐを分離して一枚のシート原稿Ｐを搬送するようにするため、捌きローラ２６の表面は摩擦抵抗のあるゴム等で形成されている。
【００３１】
以上のようにシート原稿Ｐが搬送され、レジストローラ３１、３２にシート原稿Ｐの先端が突き当たり、露光部１０にシート原稿Ｐが存在しないことが確認されると、レジストローラ３１、３２が回転して露光部１０にシート原稿Ｐが搬送され、同時に搬送ベルト３５も搬送方向に移動を開始してシート原稿Ｐを露光部１０に送る。
【００３２】
このようにして搬送ローラ２５、レジストローラ３１、３２、及び搬送ベルト３５でシート原稿Ｐが露光部１０に搬送されるが、少なくともシート原稿Ｐの後端が搬送ローラ２５を通過するまではシート原稿Ｐの重送を防止するため捌きローラ２６は逆転動作を続行している。
【００３３】
また、搬送ローラ２５と、捌きローラ２６との接触圧は、弾性部材Ｓ２の弾性力で決定されるが、接触圧を強くするとシート原稿Ｐが搬送ローラ２５により円滑に搬送できなくなるため荷重を４５０ｇ前後で行っている。このような荷重でシート原稿Ｐの搬送を行っている際、例えばＢ４サイズ以上の大きなサイズのシート原稿Ｐを長辺方向に搬送すると、搬送作用が働く距離が長くなり、特にシート原稿Ｐの後方部分が捌きローラ２６を通過するときに、シート原稿Ｐと接触する捌きローラ２６に対する抵抗が大きくなって、捌きローラ２６が僅かに振動する。この振動音は、機器に対して共振現象を起こして拡大し、大きな騒音（びびり音）を発生することがあるが、図２、図３に示すように、捌きローラ２６を設けた可動枠体２７の支持部２７１の外側面と接触するように設けた制動部材３０で振動が阻止されているので、騒音の発生が効果的に防止される。
【００３４】
なお、図示されてはいないが、制動部材３０に代えて、スポンジ等の発泡性弾性体やゴム又は軟質樹脂管等を弾性部材Ｓ２と可動枠体２７に接するように介在させてもよい。
【００３５】
露光部１０に対して搬送が完了したシート原稿Ｐは一旦搬送ベルト３５で逆送され、固定部材１０Ａに突き当てて位置決めされる。次に、露光ランプ１１と反射ミラー１２を移動させながら露光し、露光ランプ１１と反射ミラー１２の２分の１の速度で移動する反射ミラー１３とレンズ１４、及び、反射ミラー１５により感光体ドラム等に露光する。
【００３６】
露光が完了したシート原稿Ｐは、再び搬送ベルト３５で排紙方向に移動し、シート案内部材３８で露光部１０より分離した後、シート反転案内部材３９で反転搬送し、排紙部４０にシート原稿Ｐを排紙する。
【００３７】
以上説明したシート分離搬送装置は、自動原稿供給装置は勿論、複写装置や、プリンタ等の記録紙を給紙搬送する手段としても利用できる。
【００３８】
請求項に記載した本発明と前記の実施の形態の構成部間の対応関係は次の通りである。但し、本発明は前記の実施の形態に限定されるものではなく、請求項に記載した範囲内で変更、変形が可能である。
【００３９】
シート供給台・・・原稿供給台２１
搬送手段・・・搬送ローラ２５
捌き手段・・・捌きローラ２６、可動枠体２７
付勢手段・・・弾性部材Ｓ２
制動手段・・・制動部材３０
トルクリミッター付回転体・・・捌きローラ２６
可動支持手段・・・可動枠体２７
静止部・・・取付部材３０Ａ
【００４０】
【発明の効果】
搬送ローラに対して、付勢手段により押圧されている捌き部材の振動を防止する制動手段により、シートを分離搬送する際に発生する騒音が効果的に防止される。
【図面の簡単な説明】
【図１】複写装置本体に自動原稿搬送装置を装着した複写装置の部分断面図である。
【図２】図１に示した自動原稿搬送装置のシート捌き部２Ａの平面図である。
【図３】図１に示した自動原稿搬送装置のシート捌き部２Ａの斜視図である。
【符号の説明】
１  複写装置本体
２  自動原稿搬送装置
２Ａ  シート捌き部
１０  露光部
２１  原稿供給台
２２  シート押上部材
２４  給紙ローラ
２５  搬送ローラ
２６  捌きローラ
２７  可動枠体
２７１、２７２  支持部
３０  制動部材
３１、３２  レジストローラ
Ｐ  シート原稿
Ｓ１、Ｓ２  弾性部材
【図１】
0003760651.tif 000002
【図２】
0003760651.tif 000003
【図３】
0003760651.tif 000004